(57)【要約】      （修正有）【課題】視線を移動した際にモニターの外枠が視野内に入ってしまうことやレンズの彎曲による画像の歪みを抑えたヘッドマウントディスプレイを提供する。【解決手段】本体内部に駆動可能な視線検知装置及びモニター及びレンズを一体化した映像ユニット１を備える。映像ユニット１は本体内部でモーターにより駆動する。映像ユニット１を視線検知装置から得られた情報をもとにして使用者の視線移動に合わせて物理的に駆動し、また映像ユニット１は眼球の彎曲に合わせて立体的に駆動することで使用者に違和感の少ない立体映像を提供する。【選択図】図２
0003198732.tif 000002
【実用新案登録請求の範囲】
【請求項１】
視線検知装置を装備してモニター及びレンズを一体化した映像ユニットを視線検知装置から得られた情報をもとにして使用者の視線移動に合わせて物理的に駆動することを特徴とするヘッドマウントディスプレイ。
【請求項２】
前記、映像ユニットは眼球の彎曲に合わせて立体的に駆動することを特徴とする請求項１記載のヘッドマウントディスプレイ。
【考案の詳細な説明】
【技術の分野】
【０００１】  この考案はヘッドマウントディスプレイの構造や技術に関する
【背景技術】
【０００２】  従来のヘッドマウントディスプレイは、左右両眼の前に小型モニターを配置し立体感のある映像を使用者に提示することを可能にする装置である。
【考案の概要】
【考案が解決しようとする課題】
【０００３】  従来のヘッドマウントディスプレイでは、視線を移動した際にモニターの外枠が視野内に入ってしまうことで臨場感が損なわれている。
また視線を移動した際にレンズの彎曲により映像に歪みが生じる違和感がある。
現状では視野を確保するために、より大型のモニターを使用するなどして対応いるが、映像の解像度が落ちるなどの欠点が指摘されている。また、ソフトウエアで映像を補正して歪みに対応しているが、根本的な解決には至っていない。
そこで、本考案は、視線を移動した際にモニターの外枠が視野内に入ることを抑えることと、映像の歪みをいかにして減少させるかを課題とする。
【課題を解決するための手段】
【０００４】  上記の課題を解決するために、第一考案はヘッドマウントディスプレイ内部に、視線検知装置を装備してモニター及びレンズを一体化した映像ユニットを視線検知装置から得られた情報をもとにして使用者の視線移動に合わせて物理的に駆動することを特徴とするヘッドマウントディスプレイである。
また第二考案は、映像ユニット駆動時に眼球の彎曲に合わせて立体的に駆動する。
【考案の効果】
【０００５】  第一考案によれば、モニター中央部分が常に視線の先にあるためモニターの外枠が視野に入ることを抑えられる。また第二考案によれば視線が常にレンズの中央部分を通るため歪みの少ない映像を使用者に提供することが可能になる。
【図面の簡単な説明】
【０００６】
【図１】本考案の一実施形態の外観を示す図である。
【図２】本考案の一実施形態の内部を示す図である。
【図３】本考案の一実施形態の内部構造を示す図である。
【考案を実施するための形態】
【０００７】  以下、本考案の一実施形態を図に基づいて説明する。
図１は本考案の一実施形態の外観を示す図であって内部で映像ユニットが駆動するためドーム型である。
図２は本考案の一実施形態の内部を示す図であって内外装の一部を切り取った図面である。
図３は本考案の一実施形態の内部構造を示す図であって、外装を外した内部の駆動系である。
本考案の一実施形態は、レンズとモニター及び視線検知装置を一体化した映像ユニット（１）を左右両眼用各１台、上下用駆動用モーター（２）１台と左右用駆動モーター（３）２台を内蔵する。
【実施形態の効果】
【０００８】  この実施形態によれば、使用者の視線移動に対して眼球からレンズ及びモニターまでの距離がほぼ一定のため、より違和感のない映像の提供が可能である。
【他の実施形態】
【０００９】  この実施形態では３個の駆動用モーターと稼働フレーム（４）を使用しているが、他の実施形態では４個以上又は２個以下のモーターを装備したものや稼働フレームを使用しないものでも良い。
また、この実施形態では視線検知装置をレンズ及びモニターを一体化した映像ユニット内に収めているが、別に配置してもよい。
【符号の説明】
【００１０】（１）映像ユニット
（２）左右用駆動モーター
（３）上下用駆動モーター
（４）稼働フレーム
【図１】
0003198732.tif 000003
【図２】
0003198732.tif 000004
【図３】
0003198732.tif 000005
【手続補正書】
【提出日】平成27年4月27日(2015.4.27)
【手続補正１】
【補正対象書類名】実用新案登録請求の範囲
【補正対象項目名】全文
【補正方法】変更
【補正の内容】
【実用新案登録請求の範囲】
【請求項１】
本体内部に駆動可能な視線検知装置及びモニター及びレンズを一体化した映像ユニットを備えることを特徴とするヘッドマウントディスプレイ。
【請求項２】
前記、映像ユニットは本体内部でモーターにより駆動することを特徴とする請求項１記載のヘッドマウントディスプレイ。
【手続補正２】
【補正対象書類名】明細書
【補正対象項目名】０００３
【補正方法】変更
【補正の内容】
【０００３】従来のヘッドマウントディスプレイでは、視線を移動した際にモニターの外枠が視野内に入ってしまうことで臨場感が損なわれている。
また視線を移動した際にレンズの彎曲により映像に歪みが生じる違和感がある。
現状では視野を確保するために、より大型のモニターを使用するなどし対応しているが、映像の解像度が落ちるなどの欠点が指摘されている。また、ソフトウエアで映像を補正して歪みに対応しているが、根本的な解決には至っていない。
そこで、本考案は、視線を移動した際にモニターの外枠が視野内に入ることを抑えることと、映像の歪みをいかにして減少させるかを課題とする。
【手続補正３】
【補正対象書類名】明細書
【補正対象項目名】０００４
【補正方法】変更
【補正の内容】
【０００４】上記の課題を解決するために、第一考案及び第二考案はヘッドマウントディスプレイ内部で、映像ユニットを視線検知装置から得られた情報をもとにして使用者の視線移動に合わせて物理的に駆動することを特徴とするヘッドマウントディスプレイである。
【手続補正４】
【補正対象書類名】明細書
【補正対象項目名】０００５
【補正方法】変更
【補正の内容】
【０００５】第一考案及び第二考案によれば、モニター中央部分が常に視線の先にあるためモニターの外枠が視野に入ることを抑えられる。また視線が常にレンズの中央部分を通るため歪みの少ない映像を使用者に提供することが可能になる。
【手続補正５】
【補正対象書類名】明細書
【補正対象項目名】０００７
【補正方法】変更
【補正の内容】
【０００７】以下、本考案の一実施形態を図に基づいて説明する。
図１は本考案の一実施形態の外観を示す図であって内部で映像ユニットが駆動するためドーム型である。
図２は本考案の一実施形態の内部を示す図であって内外装の一部を切り取った図面である。
図３は本考案の一実施形態の内部構造を示す図であって、外装を外した内部の駆動系である。
本考案の一実施形態は、視線検知装置及びレンズとモニターを一体化した映像ユニット（１）を左右両眼用各１台、上下用駆動用モーター（２）１台と左右用駆動モーター（３）２台を内蔵する。
【手続補正６】
【補正対象書類名】明細書
【補正対象項目名】０００９
【補正方法】変更
【補正の内容】
【０００９】この実施形態では３個の駆動用モーターと稼働フレーム（４）を使用しているが、他の実施形態では４個以上又は２個以下のモーターを装備したものや稼働フレームを使用しないものでも良い。